(57)【要約】【課題】四角柱状の支柱に放射状に８本の挿入溝を形成し、その挿入溝にパネルを嵌め込むようにしたジョイント部材があるが、実際に使用する溝は２〜４本程度であり大部分が無駄になっている。【解決手段】垂直な第一仮想基準面Ｘに自己の表面を一致させ、その表面に蟻溝形態のレール溝６を形成してなる第一ジョイント部２と、第一仮想基準面Ｘを一本の仮想垂直線Ｚに沿って直角に折り曲げた状態の第二仮想基準面Ｙに自己の表面を一致させ、その表面に前記仮想垂直線Ｚから前記レール溝６までの距離と等距離の位置にそのレール溝６に嵌合可能な突条７を突設してなる第二ジョイント部３と、前記第一ジョイント部２と第二ジョイント部３の裏側に形成したパネル係止部４とを備え、前記パネル係止部４にパネルの側辺を係止させるようにしたパネル用ジョイント部材１を提供する。  【選択図】        図２
2010121302.tif 000002
【特許請求の範囲】
【請求項１】
垂直な第一仮想基準面に自己の表面を一致させ、その表面に垂直方向で奥が広い形態のレール溝を形成してなる第一ジョイント部と、
前記第一仮想基準面を一本の仮想垂直線に沿って直角に折り曲げた状態の第二仮想基準面に自己の表面を一致させ、その表面に前記仮想垂直線から前記レール溝までの距離と等距離の位置にそのレール溝に嵌合可能な先が広い形態の突条を突設してなる第二ジョイント部と、
前記第一ジョイント部と第二ジョイント部の裏側に形成したパネル係止部と、を備え、
前記パネル係止部にパネルの側辺を係止させるようにしたことを特徴とするパネル用ジョイント部材。
【請求項２】
係止したパネルの厚さの中心を通る中心線が、前記仮想垂直線を通り且つ第一ジョイント部と第二ジョイント部の間を二等分するように前記パネル係止部の方向を設定したことを特徴とする請求項１記載のパネル用ジョイント部材。
【請求項３】
前記第一ジョイント部と第二ジョイント部を一体にして平面視山形に形成し、
一方、パネル係止部は、パネルが嵌まり得る平面視略Ｕ字状の係止部とそのＵ字の中心から外側に突設した板状の接続片とを有し、
前記第一ジョイント部と第二ジョイント部の境界部又はその近傍に前記接続片の先端を配置してなることを特徴とする請求項１又は２記載のパネル用ジョイント部材。
【発明の詳細な説明】
【技術分野】
【０００１】
本発明は、複数のパネルを連結するためのパネル用ジョイント部材に関する。
【背景技術】
【０００２】
例えば、広い会場内を複数枚のパネルで複数の区画に仕切る場合、四角柱状の支柱の外周に４５゜の間隔で放射状に複数本の挿入溝を形成してジョイント部材を形成し、そのジョイント部材の挿入溝にパネルを嵌め込んで複数枚のパネルを連結するようにしている（特許文献１参照）。
【特許文献１】特開２００５−２３５１７号公報
【発明の開示】
【発明が解決しようとする課題】
【０００３】
上記ジョイント部材は、一本で最大八方向に対応可能であるが、実際に使用する挿入溝は一本当たりせいぜい２〜４本程度であり、大部分が無駄になっている。つまり、ジョイント部材の使わない部分の材料コスト、使わない部分の重量分に対応する輸送コスト、使わない挿入溝の加工コスト等が全く無駄になっている。
【０００４】
本発明は、上記に鑑みなされたもので、その目的は、無駄が無くしかも組立・分解が容易なパネル用ジョイント部材を提供することにある。
【課題を解決するための手段】
【０００５】
上記の目的を達成するため本発明は、垂直な第一仮想基準面に自己の表面を一致させ、その表面に垂直方向で奥が広い形態のレール溝を形成してなる第一ジョイント部と、
前記第一仮想基準面を一本の仮想垂直線に沿って直角に折り曲げた状態の第二仮想基準面に自己の表面を一致させ、その表面に前記仮想垂直線から前記レール溝までの距離と等距離の位置にそのレール溝に嵌合可能な先が広い形態の突条を突設してなる第二ジョイント部と、
前記第一ジョイント部と第二ジョイント部の裏側に形成したパネル係止部と、を備え、
前記パネル係止部にパネルの側辺を係止させるようにしたパネル用ジョイント部材（以下、単に「ジョイント部材」ともいう。）を提供する。
【０００６】
また、前記パネル用ジョイント部材は、係止したパネルの厚さの中心を通る中心線が、前記仮想垂直線を通り且つ第一ジョイント部と第二ジョイント部の間を二等分するように前記パネル係止部の方向を設定するとよい。
【０００７】
さらにまた、前記パネル用ジョイント部材は、前記第一ジョイント部と第二ジョイント部を一体にして平面視山形に形成し、
一方、パネル係止部は、パネルが嵌まり得る平面視略Ｕ字状の係止部とそのＵ字の中心から外側に突設した板状の接続片とを有し、
前記第一ジョイント部と第二ジョイント部の境界部又はその近傍に前記接続片の先端を配置するとよい。
【０００８】
なお、本発明において「直角」やその間を二等分する角度の規定、すなわち「９０゜」や「４５゜」の角度の規定は、実施上不可欠な「遊び」の要素や加工精度を考慮しない理論上のものであり、従って実質的にはある程度の幅がある。
【発明の効果】
【０００９】
一つのジョイント部材の第一ジョイント部のレール溝に、別のジョイント部材の第二ジョイント部の突条をスライドさせて嵌めることにより、二枚のパネルを平面視直角（図６参照）に連結することができ、また、さらにもう一つのジョイント部材を追加して同様に連結することにより、三枚のパネルを平面視Ｔ字状（図７参照）に連結することができる。そしてさらに、もう一つのジョイント部材を追加して同様に連結することにより、四枚のパネルを平面視十字状（図８参照）に連結することができる。従ってパネルの連結態様に応じて必要な個数のジョイント部材を使用すれば良いため無駄がなく、また、使用後にはジョイント部材をばらばらに分解して輸送乃至保管することができるため嵩張らない。
【００１０】
また、係止したパネルの厚さの中心を通る中心線が、前記仮想垂直線を通り且つ第一ジョイント部と第二ジョイント部の間を二等分するように前記パネル係止部の方向を設定した場合には、上記に加えて、二枚のパネルを横並びの状態（図９参照）に並べて連結することができる。
【００１１】
また、請求項３に記載したように、第一ジョイント部と第二ジョイント部を一体にして平面視山形に形成することにより全体の剛性を飛躍的に高めることができる。
【発明を実施するための最良の形態】
【００１２】
以下に本発明の実施の形態を図面を参照しつつ説明する。なお、図１はジョイント部材の斜視図、図２（ａ）はジョイント部材の平面図、図２（ｂ）は第一仮想基準面と第二仮想基準面を示す斜視図、図３はジョイント部材の正面図、図４は使用状態を示すジョイント部材の分解斜視図、図５は使用状態を示すジョイント部材の斜視図、図６〜図９は使用状態を示すジョイント部材の平面図、図１０は収容時の状態を示すジョイント部材の平面図、図１１〜図１３は他の形態を示すジョイント部材の平面図である。
【００１３】
本発明のパネル用ジョイント部材１はアルミニウム製であり、図１〜図３に示したように、第一ジョイント部２と第二ジョイント部３とパネル係止部４とからなる。このジョイント部材１は、図３の正面図において上下方向にのみ連続する断面一様な長尺物であり、長方形のパネル５の縦の側辺５ａの長さに合わせて約１ｍ〜２ｍ程度の長さになっている。なお、パネル５は、紙段ボール、プラスチック段ボール、合成樹脂板、木板、金属板など、どのようなものでもよい。
【００１４】
前記第一ジョイント部２と第二ジョイント部３は、図２（ａ），（ｂ）に示したように垂直な第一仮想基準面Ｘと、その第一仮想基準面Ｘを一本の仮想垂直線Ｚに沿って直角に折り曲げた状態の第二仮想基準面Ｙを基準として位置決めされている。
【００１５】
すなわち第一ジョイント部２は、一定の厚みを有する縦長帯板状であって、その表面２ａに例えば蟻溝のごとく奥が広い形態のレール溝６を垂直方向に形成してなり、その表面２ａが前記第一仮想基準面Ｘと一致するように位置決めされている。
【００１６】
一方、第二ジョイント部３は、一定の厚みを有する縦長帯板状であって、その表面３ａに前記レール溝６に嵌合可能な先広がり（例えば前記蟻溝に対応する逆台形状）の形態の突条７を垂直方向に突設してなり、その表面３ａが前記第二仮想基準面Ｙと一致するように位置決めされている。
【００１７】
実施形態の第一ジョイント部２と第二ジョイント部３は、端部同士が前記仮想垂直線Ｚのところで一体に突き合わさった状態になっていて平面視山形になっている。また、第一ジョイント部２のレール溝６と、第二ジョイント部３の突条７は、仮想垂直線Ｚから等距離の位置に配設されている。
【００１８】
次に、前記パネル係止部４は、前記パネル５が嵌まり得る平面視略Ｕ字状の係止部４ａとそのＵ字の中心から外向きに突設した板状の接続片４ｂとからなり、その接続片４ｂの先端が前記第一ジョイント部２と第二ジョイント部３の裏側の双方に跨る両者の境界部２３につながっている。
【００１９】
このパネル係止部４は、係止部４ａで係止したパネル５の厚さの中心を通る中心線が、前記第一ジョイント部２と第二ジョイント部３の交点に相当する前記仮想垂直線Ｚを通り且つ第一ジョイント部２と第二ジョイント部３の間を二等分するようにその向きが設定されている。なお、係止したパネル５の中心線が、第一ジョイント部２と第二ジョイント部３の間を二等分する直線に一致する条件を満たしている場合には、前記接続片４ｂが第一ジョイント部２の裏側か又は第二ジョイント部３の裏側の一方に偏った境界部２３の近傍につながっていてもよい。
【００２０】
また、パネル係止部４のＵ字の内側中央部にはＣ字状の割環部４ｃが形成されており、その割環部４ｃに後述するタッピングネジ８（図６参照）が嵌まり得る。
【００２１】
なお、上記した第一仮想基準面Ｘと第二仮想基準面Ｙ及び仮想垂直線Ｚは、説明の便宜上導入した要素であり、言うまでもなく実際には存在しない。
【００２２】
次に、本発明のパネル用ジョイント部材１の使用方法について図４〜図１０に基づき説明する。
先ず、図５に示したように二つの同じジョイント部材１，１を同じ向きに揃えて準備し、一方のジョイント部材１の第一ジョイント部２のレール溝６に、他方のジョイント部材１の第二ジョイント部３の突条７を上下方向（ジョイント部材１，１を横向きに寝かせて作業することももちろん可能であり、その場合は横方向）にスライドさせて嵌める。そうして組み合わせたジョイント部材１，１を図６に示したように基板９上に立てる。この基板９には、予め貫通孔（図示せず）が穿設されており、その貫通孔にタッピングネジ８，８を通してジョイント部材１，１の前記割環部４ｃにねじ込む。そうするとジョイント部材１，１が基板９上に固定されるからそのまま床の上に立てても倒れない。この状態でジョイント部材１，１のパネル係止部４に二枚のパネル５，５を夫々嵌め入れれば、図４に示したようにそのパネル５，５同士が平面視直角に連結される。
【００２３】
同様にもう一つのジョイント部材１を図７に示したように追加して連結することにより、三枚のパネル５，５，５を平面視Ｔ字状に連結することができ、また、さらにもう一つのジョイント部材１を図８に示したように追加することにより、四枚のパネル５，５…を平面視十字状に連結することができる。
【００２４】
また、実施形態のジョイント部材１は、係止したパネル５の厚さの中心を通る中心線が、前記仮想垂直線Ｚを通り且つ第一ジョイント部２と第二ジョイント部３の間を二等分するように前記パネル係止部４の方向が設定されているため、図９に示したように二つのジョイント部材１，１同士の天地を逆向きにして組み合わせることにより、二枚のパネル５，５をほぼ横並びの状態に、つまり複数枚のパネル５，５…を連結して長い仕切りを作ることができる。
【００２５】
以上のように複数のジョイント部材１，１…を適宜組み合わせれば、パネル５，５…による仕切りが自由に行える。
【００２６】
次に、役目を終えたジョイント部材１，１…は、上記の逆の手順で分解することができ、また、分解したジョイント部材１，１…は、図１０のように適宜に向かい合わせて積み重ねることができるから、コンパクトに収容することができる。
【００２７】
以上、本発明を実施の形態について説明したが、もちろん本発明は上記実施形態に限定されるものではない。例えば、実施形態では、パネル５を会場内（室内）を仕切る間仕切り用のものとしたが、絵画などを展示するためのパネル５にも適用可能である。
【００２８】
また、実施形態では、第一ジョイント部２のレール溝６をいわゆる蟻溝にしたが、このレール溝６は、例えば逆さ凸字形態など、奥が広い形態の溝であればよい。もっとも蟻溝は、加工性と強度面の観点から本発明を実施する上で最適である。
【００２９】
また、実施形態では、第一ジョイント部２と第二ジョイント部３を一体にして平面視山形に形成したが、図１１に示したように第一ジョイント部２と第二ジョイント部３との間が離れていてもよい。この場合、強度面において前記実施形態には及ばないが、ジョイント部材１として使用することは可能である。
【００３０】
また、実施形態では、パネル係止部４を平面視略Ｕ字状の係止部４ａで形成してパネル５をその中に嵌め込むようにしたが、パネル係止部４を単純な板状にしてパネル５に対してネジ止めするようにしてもよい。この場合、作業性において前記実施形態には及ばないが、ジョイント部材１として使用することは可能である。なお、パネル５の側辺５ａにジョイント部材１を固着してジョイント付きパネル５として使用することもできる。
【００３１】
また、実施形態では、係止したパネル５の厚さの中心を通る中心線が、前記仮想垂直線Ｚを通り且つ第一ジョイント部２と第二ジョイント部３の間を二等分するように前記パネル係止部４の方向を設定したが、図１２に示したようにパネル５の前記中心線が、第一ジョイント部２と第二ジョイント部３の間を二等分しないような設定とすることもできる。この場合、図９のようなパネル５，５同士をほぼ真っ直ぐの横並び状態に連結する効果は得られないものの、ジョイント部材１として使用することは可能である。
【００３２】
また、図１３に示したように、第一ジョイント部材１（又は第二ジョイント部材１）とパネル係止部４を融合させるようにすることもできる。この場合、パネル５，５…同士が仮想垂直線Ｚの方に向かわず、井桁状になる不利益はあるものの、ジョイント部材１として使用することは可能である。
【００３３】
なお、図において一部のジョイント部材１に墨網を施して他のジョイント部材１と色分けしたが、これはジョイント部材１，１…同士の区別を容易にするため便宜的に行ったものであり、実際には全てのジョイント部材１，１…が同色に統一されている。
【図面の簡単な説明】
【００３４】
【図１】ジョイント部材の斜視図である。
【図２】（ａ）はジョイント部材の平面図、（ｂ）は第一仮想基準面と第二仮想基準面を示す斜視図である。
【図３】ジョイント部材の正面図である。
【図４】使用状態を示すジョイント部材の分解斜視図である。
【図５】使用状態を示すジョイント部材の斜視図である。
【図６】使用状態を示すジョイント部材の平面図である。
【図７】使用状態を示すジョイント部材の平面図である。
【図８】使用状態を示すジョイント部材の平面図である。
【図９】使用状態を示すジョイント部材の平面図である。
【図１０】収容時の状態を示すジョイント部材の平面図である。
【図１１】他の形態を示すジョイント部材の平面図である。
【図１２】他の形態を示すジョイント部材の平面図である。
【図１３】他の形態を示すジョイント部材の平面図である。
【符号の説明】
【００３５】
Ｘ  …第一仮想基準面
Ｙ  …第二仮想基準面
Ｚ  …仮想垂直線
１  …パネル用ジョイント部材
２  …第一ジョイント部
２ａ…表面
３  …第二ジョイント部
３ａ…表面
４  …パネル係止部
４ａ…係止部
４ｂ…接続片
５  …パネル
５ａ…側辺
６  …レール溝
７  …突条
【図１】
2010121302.tif 000003
【図２】
2010121302.tif 000004
【図３】
2010121302.tif 000005
【図４】
2010121302.tif 000006
【図５】
2010121302.tif 000007
【図６】
2010121302.tif 000008
【図７】
2010121302.tif 000009
【図８】
2010121302.tif 000010
【図９】
2010121302.tif 000011
【図１０】
2010121302.tif 000012
【図１１】
2010121302.tif 000013
【図１２】
2010121302.tif 000014
【図１３】
2010121302.tif 000015